(57)【要約】【課題】  小型化を図ることのできる固定子及び回転電機を提供する。【解決手段】  固定子２は、第１端面２１ｂと、第２端面と、複数のスロット２４と、を有する固定子鉄心２１と、複数のスロット２４に第１端面２１ｂから上記第２端面に亘って挿通された複数の平角線により構成された固定子コイル（１０）と、を備える。上記複数の平角線のうちの所定の平角線についてみたとき、他の平角線がスロット２４内において横断面長辺を含む側面１０Ｓ同士を対向させて隣合い並行しており、さらに他の平角線がスロット２４外において横断面長辺を含む側面１０Ｓ同士を対向させて隣合い並行している。【選択図】図１２
2020156197.tif 000002
【特許請求の範囲】
【請求項１】
軸線方向の一端に位置する第１端面と、前記軸線方向の他端に位置する第２端面と、前記第１端面および前記第２端面に開口する複数のスロットと、を有する固定子鉄心と、
前記複数のスロットに前記第１端面から前記第２端面に亘って挿通された複数の平角線により構成された固定子コイルと、を備え、
前記複数の平角線のうちの所定の平角線についてみたとき、他の平角線が前記スロット内において横断面長辺を含む側面同士を対向させて隣合い並行しており、さらに他の平角線が前記スロット外において横断面長辺を含む側面同士を対向させて隣合い並行している、
固定子。
【請求項２】
前記平角線は、それぞれ前記スロット内に配置された第１区間と、前記スロット外に位置し前記他の平角線と並行した第２区間と、前記スロット外に位置し前記第１区間と前記第２区間の間に位置し前記第２区間から連続した第３区間と、を有し、
前記複数の第１区間のうちの所定の第１区間についてみたとき、他の第１区間が前記スロット内において横断面長辺を含む側面同士を対向させて隣合い並行しており、
前記複数の第２区間のうちの所定の第２区間についてみたとき、他の第２区間が前記スロット外において横断面長辺を含む側面同士を対向させて隣合い並行しており、
各々の最外周の前記第３区間は、屈曲した第１範囲と、前記第１範囲より前記第２区間側に位置し屈曲した第２範囲と、を含み、捩れ、
前記固定子鉄心及び前記固定子コイルを前記軸線方向からみた場合、
前記第１範囲は、前記固定子鉄心の半径方向外側に曲げられ、前記固定子鉄心の周方向に曲げられておらず、
前記第２範囲は、前記周方向に曲げられ、前記半径方向に曲げられておらず、
前記固定子コイルは、前記固定子鉄心の外周面より外側に出ていない、
請求項１に記載の固定子。
【請求項３】
前記最内周の前記第３区間は、捩れ、前記最外周の前記第３区間より短く、
前記固定子鉄心及び前記固定子コイルを前記軸線方向からみた場合、
前記最内周の前記第３区間は、前記半径方向内側に曲げられ、かつ、前記周方向に曲げられ、
前記固定子コイルは、前記固定子鉄心の内周面より内側に出ていない、
請求項２に記載の固定子。
【請求項４】
前記最内周より前記最外周側の前記第３区間は、屈曲した第１範囲と、前記第１範囲より前記第２区間側に位置し屈曲した第２範囲と、を含み、捩れ、
前記最外周より前記最内周側の前記第３区間は、捩れ、前記最外周の前記第３区間より短く、
前記固定子鉄心及び前記固定子コイルを前記軸線方向からみた場合、
前記最外周側の前記第１範囲は、前記固定子鉄心の半径方向外側に曲げられ、前記周方向に曲げられておらず、
前記最外周側の前記第２範囲は、前記周方向に曲げられ、前記半径方向に曲げられておらず、
前記最内周側の前記第３区間は、前記半径方向内側に曲げられ、かつ、前記周方向に曲げられている、
請求項３に記載の固定子。
【請求項５】
前記平角線は、それぞれ前記スロット外に位置し前記第１区間と前記第３区間の間に位置し前記第１区間から前記第３区間まで連続した補足区間を有し、
前記補足区間は、直線状に延在し前記第１区間と平行である、
請求項４に記載の固定子。
【請求項６】
前記平角線は、それぞれ前記スロット内に配置された２つの第１区間と、前記スロット外に位置しそれぞれ互いに異なる前記他の平角線と並行した２つの第２区間と、前記スロット外に位置した２つの第３区間であって前記各第３区間は前記第１区間と前記第２区間の間に位置し前記第２区間から連続する前記２つの第３区間と、前記スロット外に位置し一の第２区間から別の第２区間まで連続した第４区間と、を有し、
前記複数の第１区間のうちの所定の第１区間についてみたとき、他の第１区間が前記スロット内において横断面長辺を含む側面同士を対向させて隣合い並行しており、
前記複数の第２区間のうちの所定の第２区間についてみたとき、他の第２区間が前記スロット外において横断面長辺を含む側面同士を対向させて隣合い並行しており、
前記並行した一対の第２区間から連続した一対の前記第４区間は、一部の範囲にて、横断面の短辺同士が向かい合い、
前記一対の前記第４区間から連続する一方の前記一対の第２区間と、他方の前記一対の第２区間とにおいて、前記軸線方向における位置関係は逆転している、
請求項１に記載の固定子。
【請求項７】
前記平角線は、それぞれ前記スロット内に配置された第１区間と、前記スロット外に位置し前記他の平角線と並行した第２区間と、前記スロット外に位置し前記第１区間と前記第２区間の間に位置し前記第２区間から連続した第３区間と、を有し、
前記複数の第１区間のうちの所定の第１区間についてみたとき、他の第１区間が前記スロット内において横断面長辺を含む側面同士を対向させて隣合い並行しており、
前記複数の第２区間のうちの所定の第２区間についてみたとき、他の第２区間が前記スロット外において横断面長辺を含む側面同士を対向させて隣合い並行しており、
一の平角線の前記第２区間の端部と、別の平角線の前記第２区間の端部とは、横断面の短辺同士が向かい合い、接続されている、
請求項１に記載の固定子。
【請求項８】
請求項１乃至７の何れか１項に記載の固定子と、
前記固定子の内側に位置し回転自在に支持された回転子と、を備えている、
回転電機。
【発明の詳細な説明】
【技術分野】
【０００１】
本発明の実施形態は、固定子及び回転電機に関する。
【背景技術】
【０００２】
近年、永久磁石の目覚しい研究開発により、高磁気エネルギ積の永久磁石が開発され、このような永久磁石を用いた永久磁石型の回転電機が電車や自動車の電動機あるいは発電機として適用されつつある。通常、永久磁石型の回転電機は、円筒状の固定子と、この固定子の内側に回転自在に支持された円柱形状の回転子と、を備えている。固定子は、固定子鉄心と、固定子鉄心に装着されたコイルと、を備えている。固定子など、回転電機は、小型化及び軽量化が望まれている。  
固定子の小型化及び軽量化を図るため、コイルエンドの突出量を低減することが可能な技術が望まれている。コイルエンドとは、固定子鉄心の端面から突出し固定子鉄心の外側に露出している部分である。
【先行技術文献】
【特許文献】
【０００３】
【特許文献１】特開２０１４−３６５６０号公報
【発明の概要】
【発明が解決しようとする課題】
【０００４】
本実施形態は、小型化を図ることのできる固定子及び回転電機を提供する。
【課題を解決するための手段】
【０００５】
一実施形態に係る固定子は、
軸線方向の一端に位置する第１端面と、前記軸線方向の他端に位置する第２端面と、前記第１端面および前記第２端面に開口する複数のスロットと、を有する固定子鉄心と、前記複数のスロットに前記第１端面から前記第２端面に亘って挿通された複数の平角線により構成された固定子コイルと、を備え、前記複数の平角線のうちの所定の平角線についてみたとき、他の平角線が前記スロット内において横断面長辺を含む側面同士を対向させて隣合い並行しており、さらに他の平角線が前記スロット外において横断面長辺を含む側面同士を対向させて隣合い並行している。
【０００６】
また、一実施形態に係る回転電機は、
固定子と、前記固定子の内側に位置し回転自在に支持された回転子と、を備え、前記固定子は、軸線方向の一端に位置する第１端面と、前記軸線方向の他端に位置する第２端面と、前記第１端面および前記第２端面に開口する複数のスロットと、を有する固定子鉄心と、前記複数のスロットに前記第１端面から前記第２端面に亘って挿通された複数の平角線により構成された固定子コイルと、を備え、前記複数の平角線のうちの所定の平角線についてみたとき、他の平角線が前記スロット内において横断面長辺を含む側面同士を対向させて隣合い並行しており、さらに他の平角線が前記スロット外において横断面長辺を含む側面同士を対向させて隣合い並行している。
【図面の簡単な説明】
【０００７】
【図１】図１は、第１の実施形態に係る回転電機を示す断面図である。
【図２】図２は、図１の固定子及び回転子を線ＩＩ−ＩＩに沿って示す断面図である。
【図３】図３は、上記固定子を示す斜視図である。
【図４】図４は、上記固定子の一部を示す平面図であり、コイルのうち一のスロットに挿入されている複数の第１区間を示す図である。
【図５】図５は、上記固定子の一部を示す斜視図であり、コイルのうち最外周の区間を示す図である。
【図６】図６は、上記固定子の一部を示す斜視図であり、コイルのうち最内周の区間を示す図である。
【図７】図７は、上記固定子の一部を示す斜視図であり、コイルのうち最内周より最外周側の区間を示す図である。
【図８】図８は、上記固定子の一部を示す斜視図であり、コイルのうち最外周より最内周側の区間を示す図である。
【図９】図９は、上記固定子の一部を示す平面図であり、コイルのうちスロットの外側に位置する区間などを示す図である。
【図１０】図１０は、図９に示した固定子を、固定子鉄心の内周面側からみた斜視図である。
【図１１】図１１は、上記固定子の一部を示す平面図であり、コイルのうち第４領域及び第５領域に挿入されている第１区間に連続する区間などを示す図である。
【図１２】図１２は、図１１に示した固定子を、固定子鉄心の外周面側からみた斜視図である。
【図１３】図１３は、上記固定子の一部を示す平面図であり、区間を間引くこと無しにコイルを示す図である。
【図１４】図１４は、図１３に示した固定子を、固定子鉄心の外周面側からみた斜視図である。
【図１５】図１５は、図１３に示した固定子を、固定子鉄心の内周面側からみた斜視図である。
【図１６】図１６は、上記固定子のうち上記コイルを取り出して示す斜視図であり、一方のコイルエンドが整形され、他方のコイルエンドが整形されていない状態を示す図である。
【図１７】図１７は、第２の実施形態に係る回転電機の固定子の一部を示す側面図である。
【図１８】図１８は、第３の実施形態に係る回転電機の固定子の第２端面側を示す斜視図である。
【図１９】図１９は、上記第３の実施形態の固定子の一部を示す斜視図であり、コイルのうち最外周の区間を示す図である。
【図２０】図２０は、上記第３の実施形態の固定子の一部を示す斜視図であり、コイルのうち最内周の区間を示す図である。
【図２１】図２１は、上記第３の実施形態の固定子の一部を示す斜視図であり、コイルのうち外周側の区間を示す図である。
【図２２】図２２は、上記第３の実施形態の固定子の一部を示す平面図であり、コイルのうちスロットの外側に位置する区間などを示す図である。
【図２３】図２３は、図２２に示した固定子を、固定子鉄心の内周面側からみた斜視図である。
【図２４】図２４は、上記第３の実施形態の固定子の一部を示す平面図であり、コイルのうち第３領域及び第４領域に挿入されている第１区間に連続する区間などを示す図である。
【図２５】図２５は、図２４に示した固定子を、固定子鉄心の外周面側からみた斜視図である。
【図２６】図２６は、上記第３の実施形態の固定子の一部を示す平面図であり、区間を間引くこと無しにコイルを示す図である。
【図２７】図２７は、図２６に示した固定子を、固定子鉄心の外周面側からみた斜視図である。
【図２８】図２８は、図２６に示した固定子を、固定子鉄心の内周面側からみた斜視図である。
【図２９】図２９は、変形例の固定子の一部を示す平面図であり、コイルのうち一のスロットに挿入されている複数の第１区間を示す図である。
【発明を実施するための形態】
【０００８】
以下に、本発明の実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
（第１の実施形態）
まず、第１の実施形態に係る回転電機１について説明する。  
図１は、本実施形態に係る回転電機１を示す断面図である。図２は、図１の固定子２及び回転子３を線ＩＩ−ＩＩに沿って示す断面図である。
図１及び図２に示すように、本実施形態の回転電機１は、永久磁石型の回転電機として構成されている。回転電機１は、固定子２と、回転子３と、回転子３の一部及び固定子２を収容するハウジング６と、ハウジング６に固定されるカバー７と、を備えている。回転子３は、固定子２の内側に位置し、中心軸Ｃの回りで回転自在に支持され、かつ固定子２と同軸的に支持されている。
【００１０】
固定子２は、円筒状の固定子鉄心２１と、固定子鉄心２１に装着されたコイル（固定子コイル）１０と、絶縁紙２５と、を備えている。固定子鉄心２１は、磁性材、例えば、ケイ素鋼などの円環状の電磁鋼板２１ａを多数枚、同心状に積層した積層体として構成されている。固定子鉄心２１は、中心軸Ｃを有している。また、中心軸Ｃに平行な軸線方向ｄにおいて、固定子鉄心２１は、一端に位置する第１端面２１ｂと、第１端面２１ｂとは反対側の他端に位置する第２端面２１ｃと、を有している。固定子鉄心２１の内周面２１ｄには、複数のスロット２４が形成されている。複数のスロット２４は、固定子鉄心２１の周方向に等間隔を置いて並んでいる。各スロット２４は、固定子鉄心２１の内周面２１ｄに開口し、この内周面から放射方向（固定子鉄心２１の半径方向）に延出している。また、軸線方向ｄにおいて、各スロット２４は、固定子鉄心２１の全長に亘って延在し、第１端面２１ｂ及び第２端面２１ｃに開口している。
【００１１】
コイル１０には絶縁紙２５が巻かれ、コイル１０は絶縁紙２５とともにスロット２４に埋め込まれている。絶縁紙２５は、コイル１０を外部から電気的に絶縁し、コイル１０を物理的に保護している。複数のスロット２４を形成することにより、固定子鉄心２１の内周部は、回転子３に面する多数のティース２３を構成している。なお、各ティース２３は、軸線方向ｄに延在している。
【００１２】
コイル１０は、コイルエンド１０ａ，１０ｂを有している。コイルエンド１０ａ，１０ｂは、中心軸Ｃに平行な方向にて固定子鉄心２１の両側から突出し、固定子鉄心２１の外側に露出している。ここでは、コイルエンド１０ａは第１端面２１ｂと対向し、コイルエンド１０ｂは第２端面２１ｃと対向している。コイルエンド１０ａ，１０ｂのうち、固定子鉄心２１側の端部は、絶縁紙２５で覆われている。  
ハウジング６は、略円筒状の内周面６ａを有している。固定子２は、ハウジング６に固定されている。
【００１３】
回転子３は、固定子２より中心軸Ｃ側に位置している。回転子３は、固定子２との間に僅かな隙間（エアギャップ）をおいて配置され、固定子２の内側に回転自在に且つ固定子２と同軸的に支持されている。回転子３は、回転軸３１と、円筒形状の回転子鉄心３２と、回転子鉄心３２に埋設された複数の永久磁石３３と、円筒形状の第１エンドプレート３４と、円筒形状の第２エンドプレート３８と、座金３５と、ナット３６と、を備えている。
【００１４】
回転軸３１は、中心軸Ｃに平行な方向に延在し、回転子鉄心３２と同軸的に設けられている。回転軸３１には、軸受４１及び４２が取り付けられている。軸受４１及び４２は、ハウジング６及びカバー７によって固定されている。回転軸３１は、軸受４１及び４２を介して回転自在にハウジング６及びカバー７に支持されている。なお、図示した例は、回転軸３１を支持する軸受構造の一例を簡略的に示すものであり、詳細な構造についての説明は省略する。
【００１５】
回転軸３１には、回転子鉄心３２、第１エンドプレート３４、及び第２エンドプレート３８が固定されている。本実施形態において、回転軸３１は、突出部３１ａと、雄ねじ３１ｂと、を有している。突出部３１ａ及び雄ねじ３１ｂは、回転軸３１の外周面側に位置し、中心軸Ｃに平行な方向に間隔を空けて位置している。突出部３１ａは、鍔部であり、円環状の形状を有している。
【００１６】
第１エンドプレート３４、回転子鉄心３２、及び第２エンドプレート３８は、回転軸３１に挿入されている。中心軸Ｃに平行な方向において、第１エンドプレート３４、回転子鉄心３２、及び第２エンドプレート３８は、突出部３１ａと、雄ねじ３１ｂとの間に位置している。回転子鉄心３２は、中心軸Ｃに平行な方向にて第１エンドプレート３４と第２エンドプレート３８とで挟まれている。ナット３６は、雄ねじ３１ｂに対応する雌ねじ３６ａを有している。雌ねじ３６ａが雄ねじ３１ｂに螺合され、ナット３６は座金３５を介して第１エンドプレート３４、回転子鉄心３２、及び第２エンドプレート３８を突出部３１ａに押し付けている。ナット３６は、止めねじとしての機能を有している。そのため、回転軸３１に対する第１エンドプレート３４、回転子鉄心３２、及び第２エンドプレート３８の相対的な位置は固定されている。
【００１７】
本実施形態において、回転軸３１は、筒状の形状を有し、内部が中空に形成されている。筒状の回転軸３１を使用することにより、回転子３の軽量化を図ることができる。但し、本実施形態と異なり、回転軸３１は、中実軸であってもよい。  
回転子鉄心３２は、磁性材、例えば、多数枚の円環状の電磁鋼板３２ａを有している。回転子鉄心３２は、同心状の複数の電磁鋼板３２ａを中心軸Ｃに平行な方向に積層した積層体として構成されている。回転子鉄心３２は、複数の埋め込み孔３２１と、複数の空隙部３２２と、を有している。例えば、埋め込み孔３２１、及び空隙部３２２は、それぞれプレス加工が施された複数の電磁鋼板３２ａを積層することにより形成されている。
【００１８】
各々の埋め込み孔３２１は、中心軸Ｃに平行な方向に延在し、回転子鉄心３２を貫通している。各々の永久磁石３３は、中心軸Ｃに平行な方向に延在し、対応する埋め込み孔３２１に挿入されている。複数の永久磁石３３（複数の埋め込み孔３２１）は、中心軸Ｃを中心とする周方向に並べられている。例えば、図２に示した回転子３は、８磁極を有し、１６個の永久磁石３３を使用している。これらの１６個の永久磁石３３は、同一形状及び同一サイズを有している。
【００１９】
回転子鉄心３２は、中心軸Ｃに直交する方向あるいは回転子鉄心３２の半径方向に延びるｄ軸ＡＸ１と、ｄ軸に対して電気的に直交するｑ軸ＡＸ２と、を有している。  
複数の空隙部３２２は、回転子鉄心３２の外周部に形成されている。空隙部３２２は、中心軸Ｃに平行な方向に延在し、回転子鉄心３２を貫通している。空隙部３２２は、ｄ軸ＡＸ１の通る位置に設けられている。空隙部３２２は、回転子鉄心３２の軽量化に寄与することができる。
【００２０】
回転子鉄心３２は、第１端面３２ｓ１と、中心軸Ｃに平行な方向において第１端面３２ｓ１とは反対側の第２端面３２ｓ２と、を有している。各永久磁石３３は回転子鉄心３２のほぼ全長に亘って埋め込まれている。第１エンドプレート３４は、第１端面３２ｓ１及び複数の永久磁石３３と対向し、第１端面３２ｓ１及び複数の永久磁石３３を覆っている。
【００２１】
第１エンドプレート３４は、第１端面３２ｓ１に当接している。第１エンドプレート３４は、複数の永久磁石３３のうち、第１端面３２ｓ１側に露出する端面にさらに当接していてもよい。第２エンドプレート３８は、第２端面３２ｓ２及び複数の永久磁石３３と対向し、第２端面３２ｓ２及び複数の永久磁石３３を覆っている。第２エンドプレート３８は、第２端面３２ｓ２に当接している。第２エンドプレート３８は、複数の永久磁石３３のうち、第２端面３２ｓ２側に露出する端面にさらに当接していてもよい。  
上記回転電機１において、コイル１０に電流を流すと、コイル１０の周囲に磁束が発生する。上記の磁束が回転子３の永久磁石３３に作用することで、中心軸Ｃを中心に回転子３（回転軸３１）が回転する。
【００２２】
図３は、固定子２を示す斜視図である。ここでは、コイルエンド１０ａ側からみた固定子２を示している。  
図３に示すように、コイル１０は、複数のスロット２４に第１端面２１ｂから第２端面２１ｃに亘って挿通された複数の平角線により構成されている。本実施形態において、コイル１０の平角線は平角銅線である。コイル１０は、三相コイルであり、ｕ相コイル、ｖ相コイル、及びｗ相コイルを持っている。ｕ相コイルにはｕ相接続端子Ｔｕが接続され、ｖ相コイルにはｖ相接続端子Ｔｖが接続され、ｗ相コイルにはｗ相接続端子Ｔｗが接続されている。コイル１０は、第１端面２１ｂと対向する側で、干渉すること無しに、固定子鉄心２１の周方向に延在している。一方、端面２１ｃと対向する側において、コイル１０の平角線は、一般に知られている手段及び手法にて接続されている。
【００２３】
固定子２は、支持部２７を有している。本実施形態において、固定子２は、複数の支持部２７として３個の支持部２７を有している。３個の支持部２７は、固定子鉄心２１の外周面２１ｅ側に位置し、固定子鉄心２１と一体に形成されている。支持部２７には、軸線方向ｄに延びた貫通孔２７ａが形成されている。そのため、貫通孔２７ａにボルトを挿入するなどし、固定子２を固定することができる。
【００２４】
図４は、固定子２の一部を示す平面図であり、コイル１０のうち一のスロット２４に複数の第１区間１１が挿入されている状態を示す図である。ここでは、コイル１０のうち、第１区間１１のみを示している。  
図４に示すように、コイル１０（平角線）は、スロット２４内に配置された複数の第１区間１１を有している。コイル１０の平角線は、平角線の延在方向に直交する平面上において、短辺と長辺とを持つ長方形の横断面形状を有している。コイル１０の平角線は、短辺を持つ側面１０Ｔと、長辺を持つ側面１０Ｓとを有している。
【００２５】
各々のスロット２４において、複数の第１区間１１は、固定子鉄心２１の半径方向に並べられている。本実施形態において、各々のスロット２４に、６個の第１区間１１が固定子鉄心２１の半径方向に並べられている。第１区間１１は、直線部であり、スロット２４に沿って延在している。言い換えると、第１区間１１は、軸線方向ｄに延在している。第１区間１１は、コイル１０のうちスロット２４に挿入されている部分であり、スロット２４の外側に出ている部分を含んでいない。
【００２６】
各々のスロット２４において、複数の第１区間１１は、横断面の長辺同士を対向させて隣合い並行している。そのため、複数の平角線のうちの所定の平角線についてみたとき、他の平角線がスロット２４内において横断面長辺を含む側面１０Ｓ同士を対向させて隣合い並行している。複数の第１区間１１のうちの所定の第１区間１１についてみたとき、他の第１区間１１がスロット２４内において横断面長辺を含む側面１０Ｓ同士を対向させて隣合い並行している。本実施形態において、第１区間１１の側面１０Ｓ同士は、固定子鉄心２１の半径方向に対向している。
【００２７】
各々のスロット２４に挿入された複数の第１区間１１の相は、全て同層である。但し、各々のスロット２４に挿入された複数の第１区間１１の相は、異相であってもよい。
各々のスロット２４において、６個の第１区間１１が配置される領域を、固定子鉄心２１の内周面２１ｄから外周面２１ｅに向かって第１領域Ａ１乃至第６領域Ａ６とする。例えば、６個の第１区間１１のうち最外周の第１区間１１ａは、第６領域Ａ６に配置されている。６個の第１区間１１のうち最内周の第１区間１１ｂは、第１領域Ａ１に配置されている。
【００２８】
最内周より最外周側の第４領域Ａ４及び第５領域Ａ５には、第１区間１１ｃが配置されている。最外周より最内周側の第２領域Ａ２及び第３領域Ａ３には、第１区間１１ｄが配置されている。
スロット２４のうち、複数の第１区間１１の周りの空間には、絶縁紙２５が設けられている。第１区間１１ａ（第６領域Ａ６）は、スロット２４の外周面２１ｅ側に詰めて位置している。但し、第１区間１１ｂ（第１領域Ａ１）は、スロット２４の内周面２１ｄ側に詰めて位置していない。スロット２４における複数の第１区間１１の周りのギャップのうち、第１区間１１ｂ（第１領域Ａ１）より内周面２１ｄ側のギャップが最も大きい。スロット２４のうち第１区間１１ｂより内周面２１ｄ側の空間には、絶縁紙２５が詰められるなどし、第１区間１１ｂを第１領域Ａ１に固定している。  
なお、第１区間１１の側面１０Ｔは、固定子鉄心２１の半径方向に対し傾斜している。固定子鉄心２１の周方向において、側面１０Ｔが上記半径方向に対して成す角度は、０°を超え９０°未満である。
【００２９】
図５は、固定子２の一部を示す斜視図であり、コイル１０のうち最外周の区間を示す図である。ここでは、コイル１０のうち、一の第６領域Ａ６から別の第６領域Ａ６に渡る一区間を代表して示している。  
図６は、固定子２の一部を示す斜視図であり、コイル１０のうち最内周の区間を示す図である。ここでは、コイル１０のうち、一の第１領域Ａ１から別の第１領域Ａ１に渡る一区間を代表して示している。
【００３０】
図７は、固定子２の一部を示す斜視図であり、コイル１０のうち最内周より最外周側の区間を示す図である。ここでは、コイル１０のうち、一の第４領域Ａ４から一の第５領域Ａ５に渡る一区間を代表して示している。  
図８は、固定子２の一部を示す斜視図であり、コイル１０のうち最外周より最内周側の区間を示す図である。ここでは、コイル１０のうち、一の第２領域Ａ２から一の第３領域Ａ３に渡る一区間を代表して示している。
【００３１】
図５乃至図８に示すように、コイル１０が第１端面２１ｂから露出した区間において、コイル１０（平角線）は、複数の第２区間１２と、複数の第３区間１３と、第４区間１４と、複数の補足区間１５と、を有している。第２区間１２は、スロット２４外に位置し、第１区間１１に不連続である。第３区間１３は、スロット２４外に位置し、第１区間１１と第２区間１２の間に位置し、第２区間１２から連続している。第４区間１４は、スロット２４外に位置し、一の第２区間１２から別の第２区間１２まで連続している。
【００３２】
補足区間１５は、スロット２４外に位置し、第１区間１１と第３区間１３の間に位置し、第１区間１１から第３区間１３まで連続している。補足区間１５は、直線状に延在し、第１区間１１と平行である。なお、コイル１０は、補足区間１５を有していなくともよい。この場合、第３区間１３は、第１区間１１と連続している。
【００３３】
図５に示すように、コイル１０は、複数の第１区間１１ａ１，１１ａ２と、複数の第２区間１２ａ１，１２ａ２と、複数の第３区間１３ａ１，１３ａ２と、第４区間１４ａと、複数の補足区間１５ａ１，１５ａ２と、を有している。最外周の第３区間１３ａ１は、屈曲した第１範囲５１ａ１と、第１範囲５１ａ１より第２区間１２ａ１側に位置し屈曲した第２範囲５２ａ１と、を含み、捩れている。最外周の第３区間１３ａ２は、屈曲した第１範囲５１ａ２と、第１範囲５１ａ２より第２区間１２ａ２側に位置し屈曲した第２範囲５２ａ２と、を含み、捩れている。
【００３４】
ここで、固定子鉄心２１及びコイル１０を軸線方向ｄからみた場合について説明する。第１範囲５１ａ１，５１ａ２は、固定子鉄心２１の半径方向外側に曲げられ、固定子鉄心２１の周方向に曲げられていない。固定子鉄心２１及びコイル１０を軸線方向ｄからみた場合、第２範囲５２ａ１，５２ａ２は、上記周方向に曲げられ、上記半径方向に曲げられていない。
【００３５】
なお、第１区間１１ａ１が挿入されているスロット２４と、第１区間１１ａ２が挿入されているスロット２４とは、固定子鉄心２１の周方向に４個以下のスロット２４を置いて位置していてもよく、６個以上のスロット２４を置いて位置していてもよい。
図６に示すように、コイル１０は、複数の第１区間１１ｂ１，１１ｂ２と、複数の第２区間１２ｂ１，１２ｂ２と、複数の第３区間１３ｂ１，１３ｂ２と、第４区間１４ｂと、複数の補足区間１５ｂ１，１５ｂ２と、を有している。最内周の第３区間１３ｂ１，１３ｂ２の各々は、捩れ、最外周の第３区間１３ａ１，１３ａ２の各々より短い。固定子鉄心２１及びコイル１０を軸線方向ｄからみた場合、最内周の第３区間１３ｂ１，１３ｂ２は、固定子鉄心２１の半径方向内側に曲げられ、かつ、固定子鉄心２１の周方向に曲げられている。
【００３６】
図７に示すように、コイル１０は、複数の第１区間１１ｃ１，１１ｃ２と、複数の第２区間１２ｃ１，１２ｃ２と、複数の第３区間１３ｃ１，１３ｃ２と、第４区間１４ｃと、複数の補足区間１５ｃ１，１５ｃ２と、を有している。最内周より最外周側の第３区間１３ｃ１は、屈曲した第１範囲５１ｃ１と、第１範囲５１ｃ１より第２区間１２ｃ１側に位置し屈曲した第２範囲５２ｃ１と、を含み、捩れている。最内周より最外周側の第３区間１３ｃ２は、屈曲した第１範囲５１ｃ２と、第１範囲５１ｃ２より第２区間１２ｃ２側に位置し屈曲した第２範囲５２ｃ２と、を含み、捩れている。
【００３７】
ここで、固定子鉄心２１及びコイル１０を軸線方向ｄからみた場合について説明する。最外周側の第１範囲５１ｃ１，５１ｃ２は、固定子鉄心２１の半径方向外側に曲げられ、固定子鉄心２１の周方向に曲げられていない。最外周側の第２範囲５２ｃ１，５２ｃ２は、上記周方向に曲げられ、上記半径方向に曲げられていない。
【００３８】
図８に示すように、コイル１０は、複数の第１区間１１ｄ１，１１ｄ２と、複数の第２区間１２ｄ１，１２ｄ２と、複数の第３区間１３ｄ１，１３ｄ２と、第４区間１４ｄと、複数の補足区間１５ｄ１，１５ｄ２と、を有している。最外周より最内周側の第３区間１３ｄ１，１３ｄ２の各々は、捩れ、最外周の第３区間１３ａ１，１３ａ２の各々より短い。
【００３９】
ここで、固定子鉄心２１及びコイル１０を軸線方向ｄからみた場合について説明する。最内周側の第３区間１３ｄ１は、固定子鉄心２１の半径方向内側に曲げられ、かつ、固定子鉄心２１の周方向に曲げられている。最内周側の第３区間１３ｄ２は、固定子鉄心２１の半径方向外側に曲げられ、かつ、固定子鉄心２１の周方向に曲げられている。
【００４０】
図９は、固定子２の一部を示す平面図であり、コイル１０のうちスロット２４の外側に位置する区間などを示す図である。図１０は、図９に示した固定子２を、固定子鉄心２１の内周面２１ｄ側からみた斜視図である。なお、図１０において、同一のスロット２４に挿入されている複数の第１区間１１に連続する区間には同一のパターン（ドットパターン）を付している。言い換えると、コイル１０のうち同相の区間に同一のパターンを付している。
【００４１】
図９及び図１０に示すように、固定子鉄心２１及びコイル１０を軸線方向ｄからみた場合、コイル１０は、固定子鉄心２１の外周面２１ｅより外側に出ておらず、固定子鉄心２１の内周面２１ｄより内側に出ていない。  
複数の平角線のうちの所定の平角線についてみたとき、さらに他の平角線がスロット２４外において横断面長辺を含む側面（Ｓ１０）同士を対向させて隣合い並行している。上記第２区間１２は、平角線のうち他の平角線と並行した区間である。複数の第２区間１２のうちの所定の第２区間１２についてみたとき、他の第２区間１２がスロット２４外において横断面長辺を含む側面（１０Ｓ）同士を対向させて隣合い並行している。本実施形態において、第２区間１２の側面（１０Ｓ）同士は、軸線方向ｄに対向している。
【００４２】
上記並行した一対の第２区間１２から連続した一対の第４区間１４は、一部の範囲にて、横断面の短辺同士が向かい合っている。上記一対の第４区間１４から連続する一方の一対の第２区間１２と、他方の一対の第２区間１２とにおいて、軸線方向ｄにおける位置関係は逆転している。
【００４３】
図１１は、固定子２の一部を示す平面図であり、コイル１０のうち第４領域Ａ４及び第５領域Ａ５に挿入されている第１区間１１に連続する区間などを示す図である。図１２は、図１１に示した固定子２を、固定子鉄心２１の外周面２１ｅ側からみた斜視図である。なお、図１２において、同一のスロット２４に挿入されている複数のセグメント１１には同一のパターンを付している。言い換えると、コイル１０のうち同相の区間に同一のパターンを付している。
【００４４】
図１１及び図１２に示すように、所定の第２区間１２についてみたとき、他の第２区間１２がスロット２４外において横断面長辺を含む側面（Ｓ１０）同士を対向させて隣合い並行している。図１２の例では、３個の第２区間１２が、一部の範囲にて、横断面の長辺同士が向かい合った状態で軸線方向ｄに重なり、並行している。
【００４５】
図１３は、固定子２の一部を示す平面図であり、区間を間引くこと無しにコイル１０を示す図である。図１４は、図１３に示した固定子２を、固定子鉄心２１の外周面２１ｅ側からみた斜視図である。図１５は、図１３に示した固定子２を、固定子鉄心２１の内周面２１ｄ側からみた斜視図である。
【００４６】
図１３に示すように、固定子鉄心２１及びコイル１０を軸線方向ｄからみた場合、コイル１０は、固定子鉄心２１の外周（外周面２１ｅ）より外側に出ていない方が望ましい。また、コイル１０は、固定子鉄心２１の内周（内周面２１ｄ）より内側に出ていない方が望ましい。本実施形態において、コイル１０は、固定子鉄心２１の外周より外側に出ておらず、かつ、固定子鉄心２１の内周より内側に出ていない。
【００４７】
図１３乃至図１５に示すように、所定の第２区間１２についてみたとき、他の第２区間１２がスロット２４外において横断面長辺を含む側面（Ｓ１０）同士を対向させて隣合い並行している。本実施形態において、複数の第２区間１２は、第２区間１２ａ、第２区間１２ｂ、第２区間１２ｃ、及び第２区間１２ｄに分類されている。所定の第２区間１２についてみたとき、上記第２区間１２と同一種類の他の第２区間１２がスロット２４外において横断面長辺を含む側面（Ｓ１０）同士を対向させて隣合い並行している。
【００４８】
図１４及び図１５に示す例では、２個又は３個の第２区間１２が、一部の範囲にて、横断面の長辺同士が向かい合った状態で軸線方向ｄに重なり、並行している。図示しないが、本実施形態において、最大で４個の第２区間１２が、一部の範囲にて、横断面の長辺同士が向かい合った状態で軸線方向ｄに重なり、並行している。
【００４９】
次に、回転電機１の製造方法について説明する。ここでは、固定子２の製造方法について説明する。図１６は、固定子２のうちコイル１０を取り出して示す斜視図であり、コイルエンド１０ａが整形され、コイルエンド１０ｂが整形されていない状態を示す図である。
【００５０】
図３、図５乃至図８、及び図１６に示すように、固定子２の製造が開始されると、まず、固定子鉄心２１と、コイル１０を構成する複数のコイルセグメント１６と、を用意する。続いて、固定子２とコイルセグメント１６との間に絶縁紙２５を介在させつつ、コイルセグメント１６をスロット２４に挿入する。その後、コイルセグメント１６を屈曲させるなどし、コイルエンド１０ａを整形する。なお、コイルセグメント１６をスロット２４に挿入した後、コイルセグメント１６を屈曲させ、コイルセグメント１６に捩れた第３区間１３や、屈曲した第４区間１４を持たせている。但し、コイルセグメント１６をスロット２４に挿入する前に、コイルセグメント１６に捩れた第３区間１３や、屈曲した第４区間１４を持たせ、その後、コイルセグメント１６をスロット２４に挿入してもよい。  
図３に示すように、次いで、コイルエンド１０ｂを整形したり、電気接続処理を施したりする。その後、電気絶縁性の樹脂として、例えば電気絶縁ワニスを使用し、コイルエンド１０ａを固定する。これにより、固定子２の製造が終了する。
【００５１】
上記のように構成された第１の実施形態に係る回転電機１によれば、固定子２は、円筒状の固定子鉄心２１と、コイル１０と、を備えている。複数の平角線のうちの所定の平角線についてみたとき、他の平角線がスロット２４外において横断面長辺を含む側面１０Ｓ同士を対向させて隣合い並行している。そのため、複数の平角線のうちの所定の平角線についてみたとき、他の平角線がスロット２４外において横断面短辺を含む側面１０Ｔ同士を対向させて隣合い並行している場合と比較し、コイルエンド１０ａの突出量を低減することができ、軸線方向ｄにおける固定子２のサイズを低減することができる。
【００５２】
複数の平角線のうちの所定の平角線についてみたとき、他の平角線がスロット２４内において横断面長辺を含む側面１０Ｓ同士を対向させて隣合い並行している。複数の平角線のうちの所定の平角線についてみたとき、他の平角線がスロット２４内において横断面短辺を含む側面１０Ｔ同士を対向させて隣合い並行している場合と比較して、スロット２４の深さ（固定子鉄心２１の半径方向のスロット２４の長さ）の増大を招くことはない。そのため、固定子鉄心２１の直径が大きくなる事態を回避することができ、軸線方向ｄからみた固定子２のサイズが大きくなる事態を回避することができる。  
また、固定子２のサイズが大きくなる事態を回避することができることから、回転子３を小型化する必要はないため、回転電機１の出力の低下を招く事態を回避することができる。
【００５３】
第３区間１３は捩れている。又は、第３区間１３のうち第１区間１１側の屈曲部５１は、固定子鉄心２１の半径方向に屈曲している。屈曲部５１が固定子鉄心２１の周方向に屈曲している場合と比較し、コイルエンド１０ａの突出量を低減することができる。
【００５４】
コイル１０は、第４区間１４を備えているため、コイルエンド１０ａの突出量を低減しつつ、コイル１０の干渉を回避することができる。  
固定子鉄心２１の外周側の第３区間１３は、固定子鉄心２１の半径方向外側に曲げられ、固定子鉄心２１の内周側の第３区間１３は、固定子鉄心２１の半径方向内側に曲げられている。内側と外側とで第３区間１３を反対側に屈曲させることにより、固定子鉄心２１の半径方向への広がりを抑制することができる。これにより、固定子鉄心２１の外周より外側にコイルエンド１０ａが出たり、固定子鉄心２１の内周より内側にコイルエンド１０ａが出たり、する事態を回避することができる。  
上記のことから、小型化を図ることのできる固定子２及び回転電機１を得ることができる。
【００５５】
（第２の実施形態）
次に、第２の実施形態に係る回転電機１について説明する。図１７は、第２の実施形態に係る回転電機１の固定子２の一部を示す側面図であり、軸線方向ｄに直交する方向から固定子鉄心２１及びコイル１０をみた図である。
図１７に示すように、固定子鉄心２１の周方向に隣合うスロット２４間の直線距離を、距離Ｌｓとする。より詳しくは、距離Ｌｓは、隣合うスロット２４の同一の領域Ａ間の直線距離である。第２区間１２は、平角線が直線状に延在した区間である。コイル１０は、補足区間１５を有していない。軸線方向ｄに直交する方向からみた第２区間１２の太さを、幅Ｗとする。本実施形態において、幅Ｗは、上記側面１０Ｔの幅である。軸線方向ｄに対する第２区間１２の傾斜角を、角度θとする、角度θを大きくする（９０°に近付ける）ことで、コイルエンド１０ａの突出量を低減することができる。
【００５６】
隣合う第２区間１２同士が干渉しない条件や、隣合う第２区間１２と第３区間１３とが干渉しない条件から、距離Ｌｓ、幅Ｗ、及び角度θを用いると次の式１が導出される。  
【００５７】
【数１】
2020156197.tif 000003
上記式１を用いると、距離Ｌｓ及び幅Ｗより、角度θの範囲が次の式２として導出される。  
【００５８】
【数２】
2020156197.tif 000004
上記式２より、角度θの最小値は、次の式３として導出される。
【００５９】
【数３】
2020156197.tif 000005
【００６０】
上記式３より、幅Ｗを小さくすることで角度θを大きくすることができ、コイルエンド１０ａの突出量を低減することができる。また、距離Ｌｓ及び幅Ｗより角度θの最大値を求めることで、軸線方向ｄに積み重なる第２区間１２の隙間を実質的にゼロとすることができる。
【００６１】
上記のように構成された第２の実施形態に係る回転電機１によれば、固定子２は、上記式３の関係を満たすように構成されている。角度θを適切に設定することで、軸線方向ｄに積み重なる第２区間１２の隙間を実質的にゼロとすることができる。これにより、軸線方向ｄにおける固定子２のサイズを低減することができる。  
上記のことから、小型化を図ることのできる固定子２及び回転電機１を得ることができる。
【００６２】
（第３の実施形態）
次に、第３の実施形態に係る回転電機１について説明する。図１８は、本第３の実施形態に係る回転電機１の固定子２の第２端面２１ｃ側を示す斜視図である。
図１８に示すように、コイル１０のうち、固定子２の第２端面２１ｃ側に位置する各々の区間は、大まかに、固定子鉄心２１の周方向に延在し、第２端面２１ｃに対して傾斜し、他の区間と交差している。コイル１０のうち、第２端面２１ｃから突出する複数の区間は、コイルエンド１０ｂを構成している。
【００６３】
コイル１０のうち各スロット２４から突出した６個の区間は、大まかに、交互に一方向および逆方向に折曲げられている。すなわち、最外周に位置する区間は、固定子鉄心２１の周方向の一方向に折り曲げられ、１つ内側の区間は、上記周方向の他方向（逆方向）に折り曲げられている。コイル１０のうち２個の区間の端部同士が隣合い、機械的かつ電気的に接合されている。コイル１０のｕ相コイル、ｖ相コイル、及びｗ相コイルの中性点は、それぞれ接続部材９に機械的かつ電気的に接合されている。これにより、三相のコイル１０が構成されている。
【００６４】
図１９は、固定子２の一部を示す斜視図であり、コイル１０のうち最外周の区間を示す図である。ここでは、コイル１０のうち、一の第６領域Ａ６から一の第５領域Ａ６に渡る一区間を代表して示している。  
図２０は、固定子２の一部を示す斜視図であり、コイル１０のうち最内周の区間を示す図である。ここでは、コイル１０のうち、一の第１領域Ａ１から一の第２領域Ａ２に渡る一区間を代表して示している。  
図２１は、固定子２の一部を示す斜視図であり、コイル１０のうち外周側の区間を示す図である。ここでは、コイル１０のうち、一の第３領域Ａ３から一の第４領域Ａ４に渡る一区間を代表して示している。  
図１９乃至図２１に示すように、コイル１０が第２端面２１ｃから露出した区間において、コイル１０は、複数の第２区間１２と、複数の第３区間１３と、複数の補足区間１５と、を有している。第２端面２１ｃ側では、第１端面２１ｂ側と異なり、コイル１０は第４区間１４を有していない。
【００６５】
第２区間１２は、スロット２４外に位置し、第１区間１１に不連続である。第３区間１３は、スロット２４外に位置し、第１区間１１と第２区間１２の間に位置し、第２区間１２から連続している。補足区間１５は、スロット２４外に位置し、第１区間１１と第３区間１３の間に位置し、第１区間１１から第３区間１３まで連続している。但し、コイル１０は、補足区間１５を有していなくともよい。
【００６６】
図１９に示すように、コイル１０は、複数の第１区間１１ａ，１１ｃと、複数の第２区間１２ａ，１２ｃと、複数の第３区間１３ａ，１３ｃと、複数の補足区間１５ａ，１５ｃと、を有している。最外周の第３区間１３ａは、屈曲した第１範囲５１ａと、第１範囲５１ａより第２区間１２ａ側に位置し屈曲した第２範囲５２ａと、を含み、捩れている。最外周より１つ内側の第３区間１３ｃは、屈曲した第１範囲５１ｃと、第１範囲５１ｃより第２区間１２ｃ側に位置し屈曲した第２範囲５２ｃと、を含み、捩れている。第２範囲５２ｃは、第２範囲５２ａとは反対側に屈曲している。
【００６７】
コイル１０の外面は絶縁被覆で覆われている。各第２区間１２の端部は、被覆が除去され、導通可能な導通部を形成している。一の第２区間１２ａの端部と、別の第２区間１２ｃの端部とは、横断面の短辺同士が向かい合い、接続されている。第２区間１２は、２つずつ互いに溶接、接着などにより接合され、電気的に導通している。溶接には、例えば、レーザー溶接を用いることができる。接着の際は、例えば、導電性接着剤を用いることができる。溶接部あるいは接合部は、粉体塗装、ワニス等の絶縁材料で覆われている。
【００６８】
ここで、固定子鉄心２１及びコイル１０を軸線方向ｄの逆方向からみた場合について説明する。第１範囲５１ａ，５１ｃは、固定子鉄心２１の半径方向外側に曲げられ、固定子鉄心２１の周方向に曲げられていない。固定子鉄心２１及びコイル１０を軸線方向ｄからみた場合、第２範囲５２ａ，５２ｃは、上記周方向に曲げられ、上記半径方向に曲げられていない。
【００６９】
図２０に示すように、コイル１０は、複数の第１区間１１ｂ，１１ｄと、複数の第２区間１２ｂ，１２ｄと、複数の第３区間１３ｂ，１３ｄと、複数の補足区間１５ｂ，１５ｄと、を有している。最内周の第３区間１３ｂは、捩れ、最外周の第３区間１３ａより短い。最内周より１つ外側の第３区間１３ｄは、捩れ、最外周の第３区間１３ａより短い。第３区間１３ｄは、第３区間１３ｂとは反対側に捩れている。
【００７０】
一の第２区間１２ｂの端部と、別の第２区間１２ｄの端部とは、横断面の短辺同士が向かい合い、接続されている。  
ここで、固定子鉄心２１及びコイル１０を軸線方向ｄの逆方向からみた場合、第３区間１３ｂ及び第３区間１３ｄは、固定子鉄心２１の半径方向外側に曲げられ、かつ、固定子鉄心２１の周方向に曲げられている。
【００７１】
図２１に示すように、コイル１０は、複数の第１区間１１ｃ，１１ｄと、複数の第２区間１２ｃ，１２ｄと、複数の第３区間１３ｃ，１３ｄと、複数の補足区間１５ｃ，１５ｄと、を有している。最外周より２つ内側の第３区間１３ｃは、捩れ、最外周の第３区間１３ａより短い。最内周より２つ外側の第３区間１３ｄは、捩れ、最外周の第３区間１３ａより短い。第３区間１３ｄは、第３区間１３ｃとは反対側に捩れている。
【００７２】
一の第２区間１２ｃの端部と、別の第２区間１２ｄの端部とは、横断面の短辺同士が向かい合い、接続されている。  
ここで、固定子鉄心２１及びコイル１０を軸線方向ｄの逆方向からみた場合、第３区間１３ｃ及び第３区間１３ｄは、固定子鉄心２１の半径方向外側に曲げられ、かつ、固定子鉄心２１の周方向に曲げられている。
【００７３】
なお、第２区間１２ｃの端部は、斜めに切断され、第２端面２１ｃとほぼ平行に延在する端面を有していてもよい。
図２２は、固定子２の一部を示す平面図であり、コイル１０のうちスロット２４の外側に位置する区間などを示す図である。図２３は、図２２に示した固定子２を、固定子鉄心２１の内周面２１ｄ側からみた斜視図である。なお、図２３において、同一のスロット２４に挿入されている複数の第１区間１１に連続する区間には同一のパターン（ドットパターン）を付している。言い換えると、コイル１０のうち同相の区間に同一のパターンを付している。
【００７４】
図２２及び図２３に示すように、固定子鉄心２１及びコイル１０を軸線方向ｄの逆方向からみた場合、コイル１０は、固定子鉄心２１の外周面２１ｅより外側に出ておらず、固定子鉄心２１の内周面２１ｄより内側に出ていない。
図２４は、固定子２の一部を示す平面図であり、コイル１０のうち第３領域Ａ３及び第４領域Ａ４に挿入されている第１区間１１に連続する区間などを示す図である。図２５は、図２４に示した固定子２を、固定子鉄心２１の外周面２１ｅ側からみた斜視図である。なお、図２５において、同一のスロット２４に挿入されている複数のセグメント１１には同一のパターンを付している。言い換えると、コイル１０のうち同相の区間に同一のパターンを付している。
【００７５】
図２４及び図２５に示すように、所定の第２区間１２についてみたとき、他の第２区間１２がスロット２４外において横断面長辺を含む側面１０Ｓ同士を対向させて隣合い並行している。本実施形態において、第２区間１２の側面１０Ｓ同士は、軸線方向ｄに対向している。図２５の例では、３個の第２区間１２が、一部の範囲にて、横断面の長辺同士が向かい合った状態で軸線方向ｄに重なり、並行している。
【００７６】
図２６は、固定子２の一部を示す平面図であり、区間を間引くこと無しにコイル１０を示す図である。図２７は、図２６に示した固定子２を、固定子鉄心２１の外周面２１ｅ側からみた斜視図である。図２８は、図２６に示した固定子２を、固定子鉄心２１の内周面２１ｄ側からみた斜視図である。
【００７７】
図２６に示すように、固定子鉄心２１及びコイル１０を軸線方向ｄの逆方向からみた場合、コイル１０は、固定子鉄心２１の外周（外周面２１ｅ）より外側に出ていない方が望ましい。また、コイル１０は、固定子鉄心２１の内周（内周面２１ｄ）より内側に出ていない方が望ましい。本実施形態において、コイル１０は、固定子鉄心２１の外周より外側に出ておらず、かつ、固定子鉄心２１の内周より内側に出ていない。
【００７８】
図２６乃至図２８に示すように、複数の平角線のうちの所定の平角線についてみたとき、他の平角線がスロット２４外において横断面長辺を含む側面（Ｓ１０）同士を対向させて隣合い並行している。例えば、所定の第２区間１２についてみたとき、他の第２区間１２がスロット２４外において横断面長辺を含む側面１０Ｓ同士を対向させて隣合い並行している。本実施形態において、複数の第２区間１２は、第２区間１２ａ、第２区間１２ｂ、第２区間１２ｃ１、第２区間１２ｃ２、第２区間１２ｄ１、及び第２区間１２ｄ２に分類されている。所定の第２区間１２についてみたとき、上記第２区間１２と同一種類の他の第２区間１２がスロット２４外において横断面長辺を含む側面（Ｓ１０）同士を対向させて隣合い並行している。
【００７９】
図２７及び図２８に示す例では、２個又は３個の第２区間１２が、一部の範囲にて、横断面の長辺同士が向かい合った状態で軸線方向ｄに重なり、並行している。図示しないが、本実施形態において、最大で４個の第２区間１２が、一部の範囲にて、横断面の長辺同士が向かい合った状態で軸線方向ｄに重なり、並行している。
【００８０】
上記のように構成された第１の実施形態に係る回転電機１によれば、コイルエンド１０ｂの突出量を低減することができ、軸線方向ｄにおける固定子２のサイズを低減することができる。また、固定子鉄心２１の外周より外側にコイルエンド１０ｂが出たり、固定子鉄心２１の内周より内側にコイルエンド１０ｂが出たり、する事態を回避することができる。そのため、本第３の実施形態においても、上記第１の実施形態と同様の効果を得ることができる。
【００８１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。必要に応じて、複数の実施形態を組合せることも可能である。
【００８２】
例えば、図２９に示すように、各スロット２４において、複数の第１区間１１は、横断面の短い辺同士が向かい合った状態で並んで配置されていてもよい。言い換えると、各々のスロット２４に挿入された複数の第１区間１１は、固定子鉄心２１の半径方向にて、短辺を持つ側面１０Ｔ同士が対向していてもよい。
【００８３】
各々のスロット２４に配置される第１区間１１の個数は、８個であってもよく、６個に限定されるものではない。  
コイル１０の全体が平角線で構成されていなくともよい。コイル１０のうち、少なくとも第１区間１１及び第２区間１２が平角線で構成されていればよく、第１区間１１及び第２区間１２を除く部分は、平角線でなくともよい。
【符号の説明】
【００８４】
１…回転電機、２…固定子、３…回転子、１０…コイル、１３…第１平角線部、
１３Ｓ，１３Ｔ…側面、１５…第２平角線部、１５Ｓ，１５Ｔ…側面、１６…直線部、
１７…接続線部、２１…固定子鉄心、２１ｂ，２１ｃ…端面、２１ｄ…内周面、
２１ｅ…外周面、２４…スロット、２５…絶縁紙、３１…回転軸、３２…回転子鉄心、
３３…永久磁石、５１，５２，５３…屈曲部、Ｃ…中心軸、
Ａ１，Ａ２，Ａ３，Ａ４，Ａ５，Ａ６…領域、Ｌｓ…距離、Ｗ…幅、θ…角度。
【図１】
2020156197.tif 000006
【図２】
2020156197.tif 000007
【図３】
2020156197.tif 000008
【図４】
2020156197.tif 000009
【図５】
2020156197.tif 000010
【図６】
2020156197.tif 000011
【図７】
2020156197.tif 000012
【図８】
2020156197.tif 000013
【図９】
2020156197.tif 000014
【図１０】
2020156197.tif 000015
【図１１】
2020156197.tif 000016
【図１２】
2020156197.tif 000017
【図１３】
2020156197.tif 000018
【図１４】
2020156197.tif 000019
【図１５】
2020156197.tif 000020
【図１６】
2020156197.tif 000021
【図１７】
2020156197.tif 000022
【図１８】
2020156197.tif 000023
【図１９】
2020156197.tif 000024
【図２０】
2020156197.tif 000025
【図２１】
2020156197.tif 000026
【図２２】
2020156197.tif 000027
【図２３】
2020156197.tif 000028
【図２４】
2020156197.tif 000029
【図２５】
2020156197.tif 000030
【図２６】
2020156197.tif 000031
【図２７】
2020156197.tif 000032
【図２８】
2020156197.tif 000033
【図２９】
2020156197.tif 000034